(57)【要約】【課題】一般的に従来の点眼容器を使用する場合、キャップ部と容器部が完全に分離させて使用する構造であるため、両手が塞がれる経験も多いと思われます。また、キャップ部のみを机等の上に置いた場合、転がり、そして紛失と言う経験も多いと思われます。【解決手段】本発明のキャップ一体型点眼容器は、キャップ部１にスライド部２を併設し、その内包する構造もボールバルブを採用したノズル部３を用いることで、非常にコンパクトで、威圧感を与えない一体型構造にし、片手での点眼も可能となった。また、従来からのスクイズタイプの容器部６を採用することで、点眼時の圧搾機能も十分に行える構造を特徴とするものる。また、キャップ一体型点眼容器であるから、キャップのみの紛失の問題も解決しました。【選択図】  図１
2005144123.tif 000002
【特許請求の範囲】
【請求項１】
キャップ部１には、開閉機能としてのスライド部２を設け、その内包部として、滴下口を含むノズル部３にカム部４を接合しており、また、このキャップ部１の底側には、キャップ部１と内包部がスライドの動作をすることで、相互に各構成要素が連動する構造であるので、その構造上において精度を必要とし、その精度上の位置決めの役割として、はめ込み式のキャップ底部５を設けてあり、そのキャップ底部５には、圧搾機能を兼ね備えたスクイズタイプの容器部６をネジ勘合することを特徴とするキャップ一体型点眼容器
【請求項２】
キャップ部１には、開閉機能としてのスライド部２とスライド溝を設け、このスライド部２の動作で、ノズル部３と、それに接合されたカム部４が連動し、点眼時には、滴下し易い様に、ノズル部３が起立し、また、点眼時以外の休止及び保管時には、このスライド部２のスライド動作によって、ノズル部３を収納させる構造を特徴としており、また、このスライド部２の全ての全長は、キャップ部１のスペース内に全て格納することができる構造を特徴とする請求項１記載のキャップ一体型点眼容器
【請求項３】
ノズル部３は、ボ−ルバルブ構造となっており、回転可能な球状の流路部と流路口を持ち、ノズル部３及び滴下口の位置方向を９０度に変えることにより、流路部がキャップ底部５を介して、容器部６と導通し、容器部６からの溶液の流路を繋げる構造となっており、また、その位置方向を逆に９０度変えることによって、容器部６からの溶液の流路を遮断する構造のボ−ルバルブ構造を採用したノズル部３を内包した、請求項１記載のキャップ一体型点眼容器
【請求項４】
滴下口からの液漏れ防止として、キャップ部１には、ノズル受け下側１ｂを設け、また、スライド部２には、スライド戸口２ｂを設けており、このスライド戸口２ｂは、指先でこの戸口を押さえながらスライドの動作を行える様に、その指先の置き場としての役割と、このスライド戸口の下部には、ノズル部３を押さえる機能形状を有しており、点眼時以外の休止及び保管時には、このスライド戸口２ｂを閉め、キャップ部１のノズル受け下側１ｂとの間に、ノズル部３及び滴下口を挟みこみ、滴下口からの液漏れを防止する構造を特徴とする請求項１記載のキャップ一体型点眼容器
【発明の詳細な説明】
【技術分野】
【０００１】本発明は、キャップ一体型点眼容器に関するものである。
【背景技術】
【０００２】従来の点眼容器としては、目薬を収容された容器に、その口頚部から起立したノズルを嵌合させた容器部と、内容液の開封機能を有するキャップ部があり、
点眼時には、容器部とキャップ部を完全に分離させて使用する構造のものが極一般に知られており、点眼使用時には、両手に容器部とキャップ部を各々持つ事になるため、両手が塞がってしまう課題がある。そこで、この課題に対して種々提案もされています。
【特許文献】特開平１１−１５５９２７号、特開平１１−１５５９２９号
【発明の開示】
【発明が解決しようとする課題】
【０００３】従来の種々提案においては、点眼使用時に滴下口のノズルを開口させる場合、本体部を観音開きにさせる構造となっており、この様な構造上、本体部を含む面積及び体積が、点眼時にキャップ部を開口させた状態では、本体部よりも大きくなり、滴下時には、この大きさは眼下から威圧感を与える。【０００４】この種々提案においては、点眼使用時に、滴下口のノズルを開口させる場合に、本体部を観音開きにさせる構造となっており、キャップ部も含めた、この開閉動作は片手では難があり、両手を使わなければならない事も課題である。【０００５】この種々提案においては、滴下時に、滴下口のノズルを開口させ、そして眼部に持って行き、圧搾部を備えた容器部を指で押して、滴下するが、圧搾部が本体内部に隠された構造であるので、容易に圧搾ができず、適量の滴下ができない課題もある。
【発明が解決するための手段】
【０００６】このキャップ一体型点眼容器は、キャップ部１には、開閉機能としてのスライド部２を設け、その内包部として、滴下口を含むノズル部３にカム部４を接合しており、このスライド部２のスライドの開閉動作で、点眼時には、滴下口を含むノズル部３を起立させ、点眼時以外の休止及び保管時には、収納させることができる構造となっており、そのスライド部２の全長もキャップ部１のスペース内に格納できる構造となっているので、面積及び体積的にもコンパクトな形状である。
また、滴下時には、滴下口を含むノズル部３を起立させるが、この形状も、従来の点眼容器（容器部とキャップ部を完全に分離させて使用する構造のもの）と同様な形状へと変化させるため、従来通りの点眼感覚において、威圧感無く使用できる。
【０００７】このキャップ一体型点眼容器は、キャップ部１には、開閉機能としてのスライド部２を設け、そのスライド部２には、スライド戸口が有り、この部分を指先で押さえながらスライド動作させることで、点眼時には、滴下口を含むノズル部３を起立させ、点眼時以外の休止及び保管時には、収納させることができる構造であるので、片手での点眼が可能となり、同時に、容器部とキャップ部を完全に分離させないキャップ一体型点眼容器であるので、両手が塞がる課題も解決できた。
【０００８】このキャップ一体型点眼容器は、キャップ部１にスライド部２とノズル部３とカム部４の内包された構成構造の底側に、キャップ底部５が有り、そこには、キャップネジ部を設けてあり、この部分で容器部６の容器ネジ部と勘合させる構造となっている。そして、その容器部６の構造は、従来の外に露出したスクイズタイプの容器部の機能や形状をそのまま継承させた構造になっているので、有効圧搾に対する面積も確保できており、支障なく従来通りの指先での圧搾ができる。
また、これにより、十分な圧搾機能を生かせることで、適量の滴下の課題も解決できた。
【実施例】
【０００９】このキャップ一体型点眼容器は、従来技術の点眼容器では、点眼時には、容器部とキャップ部の各部を完全に分離させて使用する構造であるので、両手が塞がってしまう課題がある。
そこで、点眼容器を一体型の構造にすることで、その分離させる動作を無くし、両手が塞がる課題を解決した。
それは、このキャップ一体型点眼容器の構造が、キャップ部に併設された開閉機能を用するスライド部が、そのスライド動作により、ノズル部を回転連動させる構造であるので、片手での簡単動作で、点眼及び滴下を容易にした。
また、そのスライド構造もキャップ部のスペース内に収めることで、コンパクト化し、大きさへの威圧感を無くした。
次に、キャップ部の下部に設けられた容器部は、従来の容器部をそのまま継承させたスクイズタイプの形状と構造になっているので、圧搾に対しての心配も無く、簡単動作で、点眼及び滴下を容易にする事を特徴としたものである。
以下、本発明の実施の形態として−実施例を図１〜図１０に基づいて説明する。【００１０】図１において、キャップ一体型点眼容器は、キャップ部１には、ストッパー１ａとノズル受け下側１ｂとスライド溝１ｃが有り、スライド部２（黒塗部）には、スライド戸口２ａとスライド式ストッパー２ｂが有り、ノズル部３（斜線部）には、流路上３ａと流路下３ｂと流路口３ｃが有り、カム部４（格子部）には、凹部４ａが有り、キャップ部５には、キャップネジ部５ａとはめこみ部５ｂが有り、スクイズタイプの容器部６には、容器ネジ部６ａが有り、これら６部の構成からの構造となっているのが、特徴であり、この図１は、点眼時以外の休止及び保管状態を表している。【００１１】図１において、スライド部２は、キャップ部１のスライド溝１ｃの溝にその全長を納め、スライドの動作が可能な状態を表し手いる。
次に、ノズル部３は、カム部４を接合し、そのノズル部３をキャップ底部５にはめ込まれた状態を表している。
また、ノズル部３の滴下口３ｃは、スライド戸口２ａとキャップ部１のノズル受け下側１ｂが、ノズル部３と滴下口３ｃの形状を、そのまま挟み込める形状となっており、ノズル部３の滴下口３ｃからの液漏れを抑えている状態を表している。
次に、キャップ部１には、キャップ底部５を、左右のはめこみ部５ｂを介して、はめ込み、キャップ底部５のキャップネジ部とスクイズタイプの容器部６の容器ネジ部と、ネジ勘合することで、これら６部の構成が一体型となっている状態を表している。【００１２】図２において、キャップ一体型点眼容器のキャップ部１に内包するノズル部３とキャップ底部をはめ込む状態を表しており、このノズル部３はボールバルブ構造となっているので、流路上３ａと流路下３ｂは、互いに回転可能な球状であり、それらには流路口が設けて有り、この流路口が平行な状態になって、初めて流路が開通する構造である。
また、この図が示す状態は、流路の口が、時計方向で言うと、９時を指し示す状態になっているので、この状態では、流路が遮断された状態を表している。【００１３】図３において、キャップ一体型点眼容器の容器部６を除くキャップ部１からキャップ底部５の５つの構成要素を表している。
次に、符号として、ＸＹＺは、位置座標を示し、ノズル部３の滴下口３ｃは、座標位置のＸ方向に向いている状態を表している。
また、スライド部２のスライド戸口２ａも、滴下口３ｃと同様にＸ方向に向いており、スライド式ストッパー２ｂは、カム部４の凹部４ａの背後に接している状態を表している。
また、この状態は、図１で説明した、点眼時以外の休止及び保管状態を表し、図２で説明した、流路が遮断されている状態をも表している。【００１４】図４において、キャップ一体型点眼容器の容器部６を除くキャップ部１からキャップ底部５の５つの構成要素を表している。
次に、符号として、ＸＹＺは、位置座標を示し、ノズル部３の滴下口３ｃは、座標位置のＹ方向に向いている状態を表している
これは、スライド部２のスライド戸口２ａを、指で押さえながらＹ方向にスライドさせ、キャップ部１のストッパー１ａの位置まで、その動作を行った結果を表している。この動作の構造的な説明として、スライド戸口２ａの下部が、ノズル部３に接合されたカム部４の凹部４ａの鍵型の形状部分に入り込み、ボールバルブ構造であるノズル部３を連動させながら、Ｙ座標位置に引き上げられ、起立した状態となったことを表している。
また、この状態は、図２で説明した通り、このノズル部３のボールバルブ構造であることから、流路上３ａと流路下３ｂの流路口は、平行な状態となっているので、流路は開通した状態であり、点眼が可能な状態でもあるので、図中に省略されているが、キャップ底部５と、それに、ネジ勘合されたスクイズタイプの容器部６を圧搾することで、点眼を行えることを表している。【００１５】図４において、点眼終了時は、スライド部２のスライド戸口２ａを、指で押さえながらＸ方向に、元の位置まで、スライド動作をさせることで、図３で説明した、点眼時以外の休止及び保管状態の元の状態に戻る。
この動作の構造的な説明として、スライド部２のカム部４の凹部４ａに入り込んだスライド戸口２ａの下部が、このスライドをさせる動作で、カム部４を連動させ、それと伴に、ノズル部３も同時に連動し、また、Ｚ位置にあるスライド式ストッパー２ｂも、このスライドの動作に連動して、カム部４の背後を押しながら、元のＸ位置に戻す運動が行われるためである。【００１６】図５において、キャップ一体型点眼容器の容器部６を除くキャップ部１からキャップ底部５の５つの構成要素を上方向から見た状態を表している。
これは、図４で説明した、ノズル部３がの滴下口３ｃが上方向に向いており、点眼が可能な状態を表している。
この図の右側半分の黒塗部は、スライド部２の位置と状態を表し、このスライド部２のスライド戸口２ａの下部が、ノズル部３の根元にフィットされている状態をも表している。これは、図１で説明した通り、このスライド戸口がノズル部３と滴下口３ｃの形状を、そのまま挟み込める形状が、このＹ位置に到達したためである。
また、左側半分は、スライド部２がキャップ部１のストッパー１ａまで到達させたことによって、青空天井になった状態を表している。【００１７】図６において、キャップ一体型点眼容器の容器部６を除くキャップ部１からキャップ底部５の５つの構成要素を側面方向から見た状態を表している。
この図からも、ノズル部３の流路上３ａと流路下３ｂの流路口は、平行な状態となっており、流路は開通した状態を表し、点眼が可能な状態を表している。【００１８】図７において、キャップ一体型点眼容器の容器部６を除くキャップ部１からキャップ底部５の５つの構成要素を下方向から見た状態を表している。
これは、キャップ底部５が、はめこみ部５ｂを介して、キャップ部１にはめ込まれた状態を表し、はめ込み部５ｂを上下左右の角に４箇所配置することで、キャップ部１に内包された構成要素の精度を向上させる位置決め状態を表している。【００１９】図８において、キャップ一体型点眼容器の容器部６の全体図を表している。
この容器部６の容器ネジ部６ａをキャップ底部５のはめこみ部５ｂにネジ勘合できる様に、ネジ部が設けてあり、この容器部は、スクイズタイプの容器であり、圧搾機能も十分に行える様になっている。【００２０】図９において、キャップ一体型点眼容器の容器部６の上方向から見た状態を表している。
この図からも、容器の大きさは、キャップ底部５の大きさに、収まるコンパクト形状であることを表している。【００２１】図１０において、キャップ一体型点眼容器の容器部６の側面から見た状態を表している。【００２２】図１１において、キャップ一体型点眼容器のキャップ部１から容器部６の６つの構成要素が合致した概観形状を表し、この図は、点眼時以外の休止及び保管状態を表している。【００２３】図１１において、キャップ一体型点眼容器のキャップ部１から容器部６の６つの構成要素が合致した概観形状を表し、この図は、点眼が可能な状態を表している。
【発明の効果】
【００２４】本発明のキャップ一体型点眼容器は、従来の技術において、キャップ部と容器部の各部を完全に分離させる構造形状が、周知されており、それを解決すべく、種々提案が出されておりますが、何れも片手での点眼動作には課題もあり、また、構造形状によっては、キャップ部を開口させた場合、本体の大きさよりも大きくなり、点眼時に威圧感を与えることもありましたが、
本発明のキャップ一体型点眼容器は、キャップ部１にスライド部２を併設し、その内包する構造もボールバルブを採用したノズル部３を用いることで、非常にコンパクトで、威圧感を与えない一体型構造となりましたので、片手での点眼も可能となりました。
また、従来からのスクイズタイプの容器部６を採用することで、点眼時の圧搾機能も十分に行えるので、従来通りの点眼感覚において、威圧感無く使用できます。
【図面の簡単な説明】
【００２５】
【図１】本発明の−実施例を示すキャップ一体型点眼容器の全体図
【図２】本発明の−実施例を示すキャップ一体型点眼容器のノズル図及びキャップ底部図
【図３】本発明の−実施例を示すキャップ一体型点眼容器のキャップ部図とスライド部図とノズル部図とカム部図とキャップ底部図において、点眼時以外の休止及び保管状態時の全体図
【図４】本発明の−実施例を示すキャップ一体型点眼容器のキャップ部図とスライド部図とノズル部図とカム部図とキャップ底部図において、点眼可能状態時の全体図
【図５】本発明の−実施例を示すキャップ一体型点眼容器のキャップ部図とスライド部図とノズル部図とカム部図とキャップ底部図において、点眼可能状態時の上面図
【図６】本発明の−実施例を示すキャップ一体型点眼容器のキャップ部図とスライド部図とノズル部図とカム部図とキャップ底部図において、点眼可能状態時の側面図
【図７】本発明の−実施例を示すキャップ一体型点眼容器のキャップ部図とスライド部図とノズル部図とカム部図とキャップ底部図において、点眼可能状態時の底面図
【図８】本発明の−実施例を示すキャップ一体型点眼容器の容器部の全体図
【図９】本発明の−実施例を示すキャップ一体型点眼容器の容器部の上面図
【図１０】本発明の−実施例を示すキャップ一体型点眼容器の容器部の側面図
【図１１】本発明の−実施例を示すキャップ一体型点眼容器の点眼時以外の休止及び保管状態の概観図
【図１２】本発明の−実施例を示すキャップ一体型点眼容器の点眼可能状態の概観図
【符号の説明】
１：キャップ部
１ａ：ストッパー
１ｂ：ノズル受け下側
１ｃ：スライド溝
２：スライド部
２ａ：スライド戸口
２ｂ：スライド式ストッパー
３：ノズル部
３ａ：流路上
３ｂ：流路下
３ｃ：滴下口
４：カム部
４ａ：凹部
５：キャップ底部
５ａ：キャップネジ部
５ｂ：はめこみ部
６：容器部
６ａ：容器ネジ部
Ｘ：座標位置
Ｙ：座標位置
Ｚ：座標位置
【図１】
2005144123.tif 000003
【図２】
2005144123.tif 000004
【図３】
2005144123.tif 000005
【図４】
2005144123.tif 000006
【図５】
2005144123.tif 000007
【図６】
2005144123.tif 000008
【図７】
2005144123.tif 000009
【図８】
2005144123.tif 000010
【図９】
2005144123.tif 000011
【図１０】
2005144123.tif 000012
【図１１】
2005144123.tif 000013
【図１２】
2005144123.tif 000014